(57)【要約】【課題】オーガで掻き集めた雪をブロアハウジング内に効率よく導くことができる除雪機を提供する。【解決手段】除雪機１０は、オーガハウジング２２内の雪５８を左右のオーガ２８で掻き集め、掻き集めた雪５８をブロアハウジング２１内のブロア２５で跳ね上げ、跳ね上げた雪５８をシュータ２９で案内して所望位置に投雪するものである。この除雪機１０は、オーガハウジング２２の後面に横置き円筒状のブロアハウジング２１を接続し、オーガハウジング２２のエッジ３８の先端３８ａ（オーガハウジングの下端部近傍）からブロアハウジング２１の下部前端３１に向けてスロープ部３３を傾斜角θ１の上り勾配に設けたものである。【選択図】        図２
2004360377.tif 000002
【特許請求の範囲】
【請求項１】
オーガハウジング内の雪をオーガで掻き集め、掻き集めた雪をブロアハウジング内のブロアで跳ね上げ、跳ね上げた雪をシュータで案内して所望位置に投雪する除雪機において、
前記オーガハウジングの後面に横置き円筒状のブロアハウジングを接続し、このオーガハウジングの下端部近傍からブロアハウジングの下部前端まで延びる上り勾配のスロープ部を設けたことを特徴とする除雪機。
【発明の詳細な説明】
【０００１】
【発明の属する技術分野】
本発明は、除雪用のオーガなどの除雪作業部を機体の前部に設けた除雪機に関する。
【０００２】
【従来の技術】
路面や駐車場などの雪を除雪するものとしてオーガを備えた除雪機がある（例えば、特許文献１参照。）。
【０００３】
【特許文献１】
特開昭６３―９７７０５号公報（第３頁、第３図）
【０００４】
図８は特許文献１の第３図の断面図である。なお、符号を振り直した。
除雪用のオーガ装置１００は、ブロアハウジング１０１内にブロア１０２を回転自在に配置し、このブロアハウジング１０１の前部にオーガハウジング１０４を設け、ブロアハウジング１０１とオーガハウジング１０４とを集雪口１０５で連通し、オーガハウジング１０４内に左右のオーガ１０６，１０６を回転自在に配置したものである。
【０００５】
ブロア１０２を回転軸１０７で回転するとともに、回転軸１０７の回転をオーガミッション１０８に伝え、オーガミッション１０８で左右のオーガ軸１０９，１０９（右側は図示せず）を回転することにより左右のオーガ１０６，１０６を回転する。
【０００６】
このオーガ装置１００によれば、左右のオーガ１０６，１０６を回転することにより、左右のオーガ１０６，１０６で雪１１１を、オーガ装置１００の幅方向中央に掻き集める。
掻き集めた雪１１１を開口部１０５を経てブロアハウジング１０１内に導き、ブロアハウジング１０１内に導いた雪１１１をブロア１０２で跳ね上げ、跳ね上げた雪１１１をシュータ１１２で案内して所望の位置に投雪する。
【０００７】
【発明が解決しようとする課題】
ここで、オーガ装置１００は、ブロアハウジング１０１を円筒形とし、この円筒形のブロアハウジング１０１をオーガハウジング１０４の底部１０４ａから所定高さＨだけ浮かせて、ブロアハウジング１０１の前端をオーガハウジン１０４の背面に取り付ける。
このため、オーガハウジング１０４の底部１０４ａと開口部１０５とに段差１１３ができる。
【０００８】
左右のオーガ１０６，１０６で掻き集めた雪１１１を、オーガハウジング１０４から開口部１０５を介してブロアハウジング１０１に導く際に、オーガハウジング１０４の底部１０４ａの雪１１１が段差１１３に当たって段差１１３の前方に溜まってしまう。
したがって、左右のオーガ１０６，１０６で掻き集めた雪１１１の全てを、ブロアハウジング１０１内に導くことが難しく、そのことが除雪効率を高める妨げになっていた。
【０００９】
そこで、本発明の目的は、オーガで掻き集めた雪をブロアハウジング内に効率よく導くことができる除雪機を提供することにある。
【００１０】
【課題を解決するための手段】
上記目的を達成するために請求項１は、オーガハウジング内の雪をオーガで掻き集め、掻き集めた雪をブロアハウジング内のブロアで跳ね上げ、跳ね上げた雪をシュータで案内して所望位置に投雪する除雪機において、前記オーガハウジングの後面に横置き円筒状のブロアハウジングを接続し、このオーガハウジングの下端部近傍からブロアハウジングの下部前端まで延びる上り勾配のスロープ部を設けたことを特徴とする。
【００１１】
オーガハウジングの後面にブロアハウジングを接続し、オーガハウジングの下端部近傍からブロアハウジングの下部前端まで延びる上り勾配のスロープ部を設けた。スロープ部を設けることで、オーガハウジングの底部の雪をブロアハウジングの下部前端まで導く。
よって、オーガで掻き集めた雪の一部が、オーガハウジングの底部に残らないようにすることができる。
【００１２】
【発明の実施の形態】
本発明の実施の形態を添付図に基づいて以下に説明する。ここで、「前」、「後」、「左」、「右」は作業者から見た方向に従う。なお、図面は符号の向きに見るものとする。
図１は本発明に係る除雪機（第１実施形態）を示す斜視図である。
除雪機１０は、機体１１の下部左右側にそれぞれ走行用の電動モータ１２，１２（右側は図示せず）を設け、電動モータ１２，１２の左右側にそれぞれ走行部１３，１３（左側は図示せず）を設け、機体１１にエンジン（図示せず）を搭載し、機体１１の前部にオーガ装置２０を設けたものである。
【００１３】
オーガ装置２０は、機体１１の前部にブロアハウジング２１を取り付け、このブロアハウジング２１内にブロア２５（図４参照）を回転自在に配置し、ブロアハウジング２１の前部にオーガハウジング２２を取り付け、オーガハウジング２２内の略中央にオーガミッションケース２３を配置し、このオーガミッションケース２３を支持部材２４でオーガハウジング２２の上端部に取り付け、オーガミッションケース２３内にオーガミッション（図示せず）を収納し、このオーガミッションに駆動軸２６を連結するとともに、左右のオーガ軸２７，２７を連結し、左右のオーガ軸２７，２７にそれぞれ左右のオーガ２８，２８を取り付けたものである。
なお、ブロアハウジング２１およびオーガハウジング２２でハウジングユニット３０を構成する。
【００１４】
このオーガ装置２０によれば、エンジン（図示せず）で駆動軸２６を回転することにより、ブロア２５を回転するとともに、オーガミッションケース２３内のオーガミッションを駆動し、このオーガミッションで左右のオーガ軸２７，２７を回転して左右のオーガ２８，２８を回転する。
【００１５】
左右のオーガ２８，２８が回転することにより、雪をオーガハウジング２２の中央に掻き集め、掻き集めた雪をブロアハウジング２１内に導き、ブロアハウジング２１内に導いた雪をブロア２５で跳ね上げ、跳ね上げた雪をシュータ２９で案内して外部に投雪する。
【００１６】
図２は本発明に係る除雪機（第１実施形態）のハウジングユニットを示す分解斜視図である。
ハウ本発明に係る除雪機（第１実施形態）のハウジングユニットを示す分解斜視図ジングユニット３０は、左右のオーガ２８，２８（図１参照）を収容するオーガハウジング２２と、このオーガハウジング２２の後面に横置きに配置した円筒状のブロアハウジング２１と、このブロアハウジング２１の下部前端３１およびオーガハウジング２２に、それぞれ取り付けたスロープ部３３とからなる。
【００１７】
オーガハウジング２２は、湾曲状の背面ブレード３４を備え、背面ブレード３４の左右端に側面ブレード３５，３５を取り付けたものである。
背面ブレード３４は、頂部に折曲片３６を備えるとともに底部３７にエッジ３８を備え、幅方向中央に折曲片３６近傍からエッジ３８の先端（オーガハウジング２２の下端部近傍）３８ａまで延びる開口部４１を形成する。
【００１８】
この開口部４１は、略円形に形成した円形開口部４２と、略三角形に形成した三角形開口部４３とからなる。
円形開口部４２は、背面ブレード３４の上下方向において略中央に位置し、周縁に沿って後方に折り曲げた接合代４４を備える。
三角形開口部４３は、背面ブレード３４の底部３７からエッジ３８の先端３８ａまで延びた開口である。
【００１９】
左側面ブレード３５は、後縁４６を背面ブレード３４の湾曲面に沿わせて湾曲状に形成し、前縁４７を後縁４６と略線対称の湾曲状に形成し、中央に左右のオーガ軸２７，２７（図１参照）を取り付けるための取付孔４８を備える。
右側面ブレード３５は、左側面ブレード３５と対称形の部材なので、左側面ブレード３５と同一符合を付して説明を省略する。
【００２０】
ブロアハウジング２１は、周壁５１を円筒状に形成し、前端５１ａ側を開口するとともに周壁５１の下部前端３１を前端５１ａから寸法Ｓ１だけ後方に配置し、周壁５１の後端５１ｂを後壁５２で閉塞し、周壁５１に矩形状の筒部５３を形成したものである。
【００２１】
周壁５１の前端５１ａを接合代４４に矢印▲１▼の如く嵌め込み、前端５１ａと接合代４４とを接合することにより、ブロアハウジング２１をオーガハウジング２２の背面ブレード３４に取り付ける。
筒部５３は、シュータ２９（図１参照）を取り付けるための部材である。
なお、後壁５２の中央には駆動軸２６（図１参照）を取り付けるための取付孔５４を備える。
【００２２】
スロープ部３３は、後方に向けて角度θ１の傾斜角で緩やかに傾斜させた部材で、前端から後方に向けて略Ｖ形の第１接合代５６を備えるとともに、後端に第２接合代５７を備える。
三角形開口部４３の周縁４３ａにスロープ部３３の第１接合代５６を矢印▲２▼の如く接合するとともに、スロープ部３３の第２接合代５７を周壁５１の下部前端３１に矢印▲３▼の如く接合する。
これにより、三角形の開口部４３にスロープ部３３を取り付けて、三角形の開口部４３をスロープ部３３で塞ぐ。
【００２３】
図３（ａ）は本発明に係る除雪機（第１実施形態）のハウジングユニットを示す斜視図、図３（ｂ）は（ａ）の３ｂ−３ｂ線断面図である。
ハウジングユニット３０は、オーガハウジング２２の後面に横置き円筒状のブロアハウジング２１を接続し、オーガハウジング２２のエッジ３８の先端３８ａ（オーガハウジングの下端部近傍）からブロアハウジング２１の下部前端３１に向けてスロープ部３３を傾斜角θ１の上り勾配に設けたものである。
【００２４】
ここで、ブロアハウジング２１を構成する周壁５１の下部前端３１を寸法Ｓ１だけ後方に後退させ（図２も参照）、スロープ部３３の第２接合代５７を接合する部位を、背面ブレード３４から寸法Ｓ１だけ後方にずらす。
よって、スロープ部３３の第２接合代５７を周壁５１の下部前端３１に接合することで、（ｂ）に示すようにスロープ部３３を後方に向けて緩やかな傾斜角θ１にする。
このスロープ部３３の傾斜角θ１は、背面ブレード３４の傾斜角θ２と比較して、θ１＜θ２の関係が成立する。
【００２５】
さらに、三角形開口部４３を、背面ブレード３４の底部３７からエッジ３８の先端３８ａまで延ばしたので、スロープ部３３をエッジ３８の先端３８ａから備えることができ、雪を円滑にスロープ部３３まで導くことができる。
【００２６】
次に、第１実施形態の除雪機１０の作用を図４に基づいて説明する。
図４（ａ），（ｂ）は本発明に係る除雪機（第１実施形態）の作用を示す説明図である。
（ａ）において、オーガ装置２０の駆動軸２６を矢印の如く回転することにより、ブロア２５を回転するとともに、左右のオーガ軸２７，２７で左右のオーガ２８，２８を回転する。
左右のオーガ２８，２８が回転することにより、雪５８（（ｂ）参照）をオーガハウジング２２の中央に矢印▲４▼の如く掻き集める。
【００２７】
（ｂ）において、オーガハウジング２２のエッジ３８からブロアハウジング２１の下部前端３１に向けて上り勾配のスロープ部３３を設けた。スロープ部３３を設けることで、オーガハウジング２２の底部３７中央に掻き集めた雪５８をブロアハウジング２１の下部前端３１まで矢印▲５▼（（ａ）も参照）の如く円滑に導く。
【００２８】
よって、左右のオーガ２８，２８で掻き集めた雪５８の一部が、オーガハウジング２２の底部３７に残らない。これにより、左右のオーガ２８，２８で掻き集めた雪５８を、オーガハウジング２２内に残さないで、ブロアハウジング２１に効率よく導くことができる。
そして、ブロアハウジング２１内に導いた雪５８をブロア２５で跳ね上げて、跳ね上げた雪５８をシュータ２９（図１参照）で案内して外部に投雪する。
【００２９】
次に、第２実施形態を図５〜図７に基づいて説明する。なお、第２実施形態において第１実施形態と同一部材については同一符合を付して説明を省略する。
図５は本発明に係る除雪機（第２実施形態）のハウジングユニットを示す分解斜視図である。
ハウジングユニット６０は、左右のオーガ２８，２８（図１参照）を収容するオーガハウジング２２と、オーガハウジング２２の後面に横置きに取り付ける円筒状のブロアハウジング６１とからなる。
【００３０】
ブロアハウジング６１は、周壁６３を円筒状に形成したハウジング本体６２と、周壁６３の下部前端６４にスロープ部６５とを一体成形したものである。
すなわち、ブロアハウジング６１は、第１実施形態のブロアハウジング２１とスロープ部３３とを一体成形したものである。
したがって、ハウジング本体６２は、第１実施形態のブロアハウジング２１と略同一の部材であり、スロープ部６５は、第１実施形態のスロープ部３３と略同一の部材である。
【００３１】
スロープ部６５は、その後端６６を、周壁６３の前端６３ａから後方に寸法Ｓ２だけ後方にずらせている。
さらに、スロープ部６５は、後方に向けて角度θ３の傾斜角で緩やかに傾斜させた部材で、前端から後方に向けて略Ｖ形の接合代６７を備える。
【００３２】
ブロアハウジング６１をオーガハウジング２２の後面に取り付ける際には、周壁６３の前端６３ａを接合代４４に矢印▲６▼の如く嵌め込み、前端６３ａと接合代４４とを接合するとともに、スロープ部６５の接合代６７を三角形開口部４３の周縁４３ａに矢印▲７▼の如く接合する。
これにより、ブロアハウジング６１をオーガハウジング２２の背面ブレード３４に取り付けるとともに、三角形の開口部４３をスロープ部６５で塞ぐ。
【００３３】
図６（ａ）は本発明に係る除雪機（第２実施形態）のハウジングユニットを示す斜視図、図６（ｂ）は（ａ）の６ｂ−６ｂ線断面図である。
ハウジングユニット６０は、オーガハウジング２２の後面に横置き円筒状のブロアハウジング６１を取り付けたものである。
【００３４】
ここで、スロープ部６５の後端６６を、周壁６３の前端６３ａから後方に寸法Ｓ２だけ後方にずらせ、スロープ部６５を、オーガハウジング２２のエッジ３８の先端３８ａ（オーガハウジングの下端部近傍）からハウジング本体６２の下部前端６４に向けて傾斜角θ３で緩やかに傾斜させている。
このスロープ部６５の傾斜角θ３は、背面ブレード３４の傾斜角θ２と比較して、θ３＜θ２の関係が成立する。なお、スロープ部６５の傾斜角θ３を、第１実施形態のスロープ部３３の傾斜角θ１と同一にすることも可能である。
【００３５】
さらに、三角形開口部４３を、背面ブレード３４の底部３７からエッジ３８の先端３８ａまで延ばしたので、スロープ部６５をエッジ３８の先端３８ａから備えることができ、雪を円滑にスロープ部６５まで導くことができる。
【００３６】
次に、第２実施形態の除雪機の作用を図７に基づいて説明する。
図７（ａ），（ｂ）は本発明に係る除雪機（第２実施形態）の作用を示す説明図である。
（ａ）において、オーガ装置２０の駆動軸２６を矢印の如く回転することにより、ブロア２５を回転するとともに、左右のオーガ軸２７，２７で左右のオーガ２８，２８を回転する。
左右のオーガ２８，２８が回転することにより、雪５８（（ｂ）参照）をオーガハウジング２２の中央に矢印▲８▼の如く掻き集める。
【００３７】
（ｂ）において、オーガハウジング２２のエッジ３８からハウジング本体６２の下部前端６４に向けて上り勾配のスロープ部６５を設けた。スロープ部６５を設けることで、オーガハウジング２２の底部３７中央に掻き集めた雪５８をハウジング本体６２の下部前端６４まで矢印▲９▼（（ａ）も参照）の如く円滑に導く。
【００３８】
よって、左右のオーガ２８，２８で掻き集めた雪５８の一部が、オーガハウジング２２の底部３７に残らない。これにより、左右のオーガ２８，２８で掻き集めた雪５８を、オーガハウジング２２内に残さないで、ハウジング本体６２に効率よく導くことができる。
そして、ハウジング本体６２内に導いた雪５８をブロア２５で跳ね上げて、跳ね上げた雪５８をシュータ２９（図１参照）で案内して外部に投雪する。
【００３９】
なお、前記第２実施形態では、スロープ部６５をハウジング本体６２に一体に成形した例について説明したが、これに限らないで、スロープ部６５をオーガハウジング２２に一体に形成することも可能である。
また、前記実施形態のオーガハウジング２２、ブロアハウジング２１、ハウジング本体６２およびスロープ部３３，６５は、前記実施形態に示す形状に限定するものではなく、適宜好適な形状に変更することが可能である。
【００４０】
【発明の効果】
本発明は上記構成により次の効果を発揮する。
請求項１は、オーガハウジングの後面にブロアハウジングを接続し、オーガハウジングの下端部近傍からブロアハウジングの下部前端まで延びる上り勾配のスロープ部を設けた。スロープ部を設けることで、オーガハウジングの底部の雪をブロアハウジングの下部前端まで導く。
【００４１】
よって、オーガで掻き集めた雪の一部が、オーガハウジングの底部に残らないようにすることができる。これにより、オーガで掻き集めた雪を、オーガハウジング内に残さないで、ブロアハウジングに効率よく導いて、除雪効率を高めることができる。
【００４２】
加えて、掻き集めた雪の一部をオーガハウジングの底部に残らないようにすることで、底部に残った雪で除雪機の前進を妨げることがなく、除雪効率をさらに高めることができる。
さらに、オーガハウジングの底部に残った雪で底部が摩耗することを防ぐこともできる。
【図面の簡単な説明】
【図１】本発明に係る除雪機（第１実施形態）を示す斜視図
【図２】本発明に係る除雪機（第１実施形態）のハウジングユニットを示す分解斜視図
【図３】（ａ）は本発明に係る除雪機（第１実施形態）のハウジングユニットを示す斜視図、（ｂ）は（ａ）の３ｂ−３ｂ線断面図
【図４】本発明に係る除雪機（第１実施形態）の作用を示す説明図
【図５】本発明に係る除雪機（第２実施形態）のハウジングユニットを示す分解斜視図
【図６】（ａ）は本発明に係る除雪機（第２実施形態）のハウジングユニットを示す斜視図、（ｂ）は（ａ）の６ｂ−６ｂ線断面図
【図７】本発明に係る除雪機（第２実施形態）の作用を示す説明図
【図８】特許文献１の第３図の断面図
【符号の説明】
１０…除雪機、２１，６１…ブロアハウジング、２２…オーガハウジング、２５…ブロア、２８…左右のオーガ（オーガ）、２９…シュータ、３１，６４…下部前端、３３，６５…スロープ部、３８…エッジ、３８ａ…エッジ３８の先端（オーガハウジングの下端部近傍）、５８…雪、６２…ハウジング本体。
【図１】
2004360377.tif 000003
【図２】
2004360377.tif 000004
【図３】
2004360377.tif 000005
【図４】
2004360377.tif 000006
【図５】
2004360377.tif 000007
【図６】
2004360377.tif 000008
【図７】
2004360377.tif 000009
【図８】
2004360377.tif 000010